(57)【要約】【目的】  半身不随の者や上肢に障害のある者がロ−ルペ−パ−を使用するにあたり、ロ−ルペ−パ−をトイレに限らずに多目的な用途に用いたり、また、ロ−ルペ−パ−の引き出し及び切り取りを片手で容易にできるようにして、介助の負担を軽減することが本考案の目的である。【構成】  本体をボックス型とし、その内側の左右に後傾して設置したレ−ルにホ−ルダ−を嵌め合わせてロ−ルを斜めにスライドして降下させ、ホ−ルダ−に重さと連動パッキンを付加し、また、擦付け板とペ−パ−保持板を挟み合わせる構成となっている。【選択図】  図１
0003105147.tif 000002
【実用新案登録請求の範囲】
【請求項１】
ボックスの内側左右にホ−ルダ−スライドレ−ルを後傾して配置し、ホ−ルダ−の両端のホ−ルダ−芯をホ−ルダ−スライドレ−ルに嵌め合わせ、ホ−ルダ−に重さと連動パッキンを付加し、ボックスの上部に擦り付け板とペ−パ−保持板を挟み合わた、介護用ペ−パ−ボックス
【考案の詳細な説明】
【技術分野】
【０００１】  この考案は、半身不随の者や上肢に障害ある者がロ−ルペ−パ−を使用するにあたり、ペ−パ−の引き出し及び切り取りを片手で容易にする介助用ペ−パ−ボックスに関するものである。
【背景技術】
【０００２】  ロ−ルペ−パ−の使用については、従来、ホ−ルダ−の回転に応じてペ−パ−を切り取るものが一般的であり、最近では、片手でペ−パ−を切り取りできるようなものになっている。【０００３】  しかし、これは、ロ−ルペ−パ−をトイレの用途にあてるだけのものであり、また、半身不随の者や上肢に障害のある者がペ−パ−を片手で完全に切り取るには無理であり、しかも、片手で引き出すのも難儀である。
【考案の開示】
【考案が解決しようとする課題】
【０００４】  この考案が解決しようとする問題点は、次の通りである。
（イ）半身不随の者や上肢に障害ある者が居室で多目的な用途にあてられるように、居室と調和したものとする必要がある。
（ロ）半身不随の者や上肢に障害ある者でも、他人の手を借りずに、片手でペ−パ−を容易に切り取りできるようなものとし、介助の負担を軽減する必要がある。
（ハ）半身不随の者や上肢に障害ある者でも、他人の手を借りずに、片手でペ−パ−を容易に引き出しできるものとし、介助の負担を軽減する必要がある。
【課題を解決するための手段】
【０００５】  この考案が解決する手段は、次の通りである。
（イ）ボックス（１）の上部にボックス蓋（２）を設け、また、その背面と底面に両面粘着テ−プ（９）を付着する。
（ロ）ボックス（１）の内側の左右にホ−ルダ−スライドレ−ル（３）を後傾して配置し、ホ−ルダ−（４）の両端のホ−ルダ−芯（１２）をホ−ルダ−スライドレ−ル（３）に嵌め合わせる。
（ハ）ホ−ルダ−（４）に重さをもたせ、また、その外周に連動パッキン（５）を付着する。
（ニ）ボックス（１）の前面の上部に擦付け板（６）とペ−パ−保持板（７）を挟み合わせて設ける。
【考案の効果】
【０００６】  この考案の効果は、次の通りである。
（イ）この考案は、ボックス型の形状にし、また、両面粘着テ−プ（９）を付着することによって、半身不随の者や上肢に障害ある者の多目的な用途に応じて、どこへでも置くことができる。
（ロ）この考案は、ボックス（１）の内側の左右に後傾して設置されたホ−ルダ−スライドレ−ル（３）に添って、ホ−ルダ−芯が斜めに降下し、ロ−ル（１０）からほぐれたペ−パ−（１３）を一定の角度で引き上るので、容易に切り離すことができる。
（ハ）この考案は、ホ−ルダ−（４）の重さと連動パッキン（５）によって、ロ−ル（１０）の回転を常に一定にし、ペ−パ−（１３）の切り取りを容易する。
（ニ）弾性材を素材とした擦付け板（６）によってペ−パ−（１３）を切り離し、ペ−パ−保持板（７）によってボックス（１）内へのずり落ちを防止して、ペ−パ−（１３）の引出しを容易にする。
【考案を実施するための最良の形態】
【０００７】  この考案の最良の実施形態は、次の通りである。
（イ）ボックス（１）の上部には、ボックス蓋（２）を設け、また、その背面と底面には、両面粘着テ−プ（９）を付着する。
（ロ）ボックス（１）の内側の左右に、ホ−ルダ−スライドレ−ル（３）を６０度の角度をもたせて後傾して配置し、ホ−ルダ−（４）の両端のホ−ルダ−芯（１２）をホ−ルダ−スライドレ−ル（３）に嵌め合わせる。ホ−ルダ−芯（１２）は、ロ−ル（１０）の巻量の変化に応じて、ホ−ルダ−スライドレ−ル（３）に添って斜めにスライドして降下する。これによって、ペ−パ−（１３）を引き出す角度が一定し、それを容易に切り取ることができる。
（ロ）ホ−ルダ−（４）に６０ｇの重さをもたせ、また、その外周に連動パッキン（５）を付着し、連動パッキン（５）とロ−ル芯（１１）が一体となって回転することによって、ペ−パ−（１３）を引上げやすくするので、ペ−パ−を容易に切り取りできる。
（ハ）ボックス（１）の前面の上部には、ペ−パ−（ｌ３）を引き出すための引き出し開口（８）を開け、ペ−パ−（ｌ３）の滑りを防止するために、弾性のある擦り付け板（６）を上にし、ボックス（１）内部へのずり落ちを防止するために、ペ−パ−保持根（７）を挟み合わせる。
【実施例】
【０００８】  本考案の実施例は、次の通りである。
（イ）ボックス（１）の上部には、ロ−ル（１０）を取り替えるために、ボックス蓋（２）を設ける。
（ロ）ボックス（１）の内側の左右には、ホ−ルダ−スライドレ−ル（３）を６０度の角度に後傾して配置する。
（ハ）ロ−ル芯（１１）にホ−ルダ−（４）を差し入れ、その両端のホ−ルダ−芯（１２）をホ−ルダ−スライドレ−ル（８）に嵌め合わせる。
（ニ）これによって、ロ−ル（１０）の巻量の変化に応じて、ロ−ル（１０）とホ−ルダ−（４）が一体となり、斜めにスライドして降下し、ロ−ル（１０）の浮き上がりを防止する。
（ホ）ホ−ルダ−（４）に、６０ｇの重さをもたせ、また、その外周には、摩擦力と弾性をもつ素材の連動パッキン（５）を均等に３本付着する。
（ヘ）これによって、連動パッキン（５）とロ−ル芯（１１）とが一体になるので、ロ−ル（１０）の回転を常に一定にし、空回りを防止し、回転を円滑にする。
（ト）ボックス（１）の前面の上部には、ボックス（１）からペ−パ−（１３）を引き出すために、引出し開口（８）を設ける。
（チ）引出し開口（８）には、擦付け板（６）を上に、ペ−パ−保持板（７）を下にして挟み合わせて設ける。
（リ）擦付け板（６）は、ペ−パ−の滑りを防ぐために、摩擦力と弾性のある素材とする。また、ペ−パ−保持板（７）は、ポリエチレン合成板を素材とし、折れ目を入れ、ボックスの内側から折れ目に合わせ取付け、その上方を外側に出す。その中央部を切り落とし、ペ−パ−（１３）の引き出しを容易にする。
（ヌ）ペ−パ−（１３）を擦付け板（６）で切り離し、ペ−パ−保持板（７）でボックス（１）内部へのずり落ちを防止する。
（ル）ボックス（１）の背面と底面には、どこへでも固定できるように、両面粘着テ−プ（９）を付着する。
【図面の簡単な説明】
【０００９】
【図１】  本体を示す説明図である。
【図２】  本体への組付を示した斜視図である。
【図３】  本考案の組み合わせを示した側面図である。
【図４】  本考案のホ−ルダ−の降下を示した図である。
【図５】  本考案のホ−ルダ−とスライドレ−ルの組合わせを示した図である。
【図６】  本考案のホ−ルダ−拡大図である。
【符号の説明】
【００１０】    １  ボックス
２  ボックス蓋
３  ホ−ルダ−スライドレ−ル
４  ホ−ルダ−
５  連動パッキン
６  擦付け板
７  ペ−パ−保持板
８  引出し開口
９  両面粘着テ−プ
１０  ロ−ル
１１  ロ−ル芯
１２  ホ−ルダ−芯
１３  ペ−パ−
【図１】
0003105147.tif 000003
【図２】
0003105147.tif 000004
【図３】
0003105147.tif 000005
【図４】
0003105147.tif 000006
【図５】
0003105147.tif 000007
【図６】
0003105147.tif 000008